(57)【要約】      （修正有）【課題】無線転送により位置情報の画像ファイルへの付加可能なシステムを提供する。【解決手段】画像ファイルに位置情報の付加の可能なシステムを公開するもので、該システムにはＧＰＳレコーダーおよびメモリーカードが含まれる。ＧＰＳレコーダーは位置情報の受信ならびに無線転送による位置情報の転送用に利用される。画像ファイルが作られると同時にメモリーカードに格納される時に、ＧＰＳレコーダーから受信される位置情報は直ちに画像ファイルに付加される。【選択図】図１
2008301468.tif 000002
【特許請求の範囲】
【請求項１】
複数位置情報受信用ＧＰＳ受信器、該位置情報格納用メモリー、位置情報転送用第1無線双方向モジュール、該ＧＰＳ受信器、該メモリーおよび該第1無線双方向モジュール制御用のマイクロコントロールユニット（ＭＣＵ）が含まれる地球位置決定システム（ＧＰＳ）レコーダー、格納ユニット、画像ファイルが作られる時の第1無線双方向モジュールから転送される1ヶ所の位置情報の受信用第2無線双方向モジュール、および画像ファイルが作られる時の画像ファイルの格納ユニットへの格納用ならびに第2無線双方向モジュールによって受信される位置情報の画像ファイルへの即時付加用のカードコントローラが含まれるメモリーカードが含まれる画像ファイルへの位置情報付加システム。
【請求項２】
第1無線双方向モジュールあるいは第２無線双方向モジュールがＺｉｇＢｅｅモジュール、ＷｉＦｉモジュールおよびＢｌｕｅＴｏｏｔｈモジュールからなる群から選定される請求項１のシステム。
【請求項３】
ＧＰＳ受信器に結合されるＧＰＳアンテナが含まれる請求項１のシステム。
【請求項４】
メモリーが不揮発性メモリーである請求項１のシステム。
【請求項５】
不揮発性メモリーがフラッシュメモリーである請求項４のシステム。
【請求項６】
各位置情報に座標情報および／または地名が含まれる請求項１のシステム。
【請求項７】
ＧＰＳレコーダーにさらにＵＳＢホストポートが含まれる請求項１のシステム。
【請求項８】
ＧＰＳレコーダーにさらにＧＰＳレコーダー向けの電源供給バッテリーが含まれる請求項１のシステム。
【請求項９】
格納ユニットがＮＡＮＤフラッシュメモリーである請求項１のシステム。
【請求項１０】
ＧＰＳレコーダーに位置情報転送用の第1無線双方向モジュールが含まれた上、格納ユニット、画像ファイルが作られる時の第1無線双方向モジュールから転送される位置情報受信用の第2無線双方向ユニット、および画像が作られる時の格納ユニットへの画像ファイルの格納ならびに第2無線双方向モジュールによって受信される位置情報の画像ファイルへの即時付加用のカードコントローラが含まれるＧＰＳレコーダーに格納される位置情報の無線受信可能なメモリーカード。
【請求項１１】
第1無線双方向モジュールあるいは第2無線双方向モジュールがＺｉｇＢｅｅモジュール、ＷｉＦｉモジュールおよびＢｌｕｅＴｏｏｔｈモジュールからなる群から選定されるものである請求項１０のメモリーカード。
【請求項１２】
位置情報システムに座標情報および／または地名が含まれる請求項１０のメモリーカード。
【請求項１３】
格納ユニットがＮＡＮＤフラッシュメモリーである請求項１０のメモリーカード。
【発明の詳細な説明】
【技術分野】
【０００１】
本発明は画像ファイルに位置情報の付加可能なシステムに関するもので、特に、地球位置決定システム（ＧＰＳ）レコーダーから受信される位置情報の無線転送による画像ファイルへの即時付加可能なシステムに関する。
【背景技術】
【０００２】
技術の進歩に伴って、ＧＰＳの用途がますます多く開発されるようになってきた。ＧＰＳは車のナビゲーションに利用可能であり、カメラに組込まれたＧＰＳは写真情報が取られた場所の緯度、経度情報の記録が可能である。今日では、ユーザーが位置する場所の位置および時間情報の記録用のＧＰＳレコーダーが開発された。さらに、デジタルカメラの写真は画像ファイル交換フォーマット（Exif）に適しているだけでなく、カメラタイプ、日付、および画像大きさのような写真情報が得られる。従って、ＧＰＳレコーダーによって記録される情報および写真はともにコンピュータに入力可能である上に、さらに写真の位置情報の写真への付加が可能である。ユーザーはその後でグーグルマップあるいはグーグルアースウェブサイトに位置情報が付加された写真をアップロード可能である。従って、場所と時間の間の関係がグーグルマップおよびグーグルアースウェブサイトによって示され得る。
【０００３】
しかしながら、ＧＰＳレコーダーは現在では直接画像ファイルが格納されるメモリーカードに接続することができないだけでなく、いずれの電気用品（例えば、デジタルカメラあるいはカードリーダー）もメモリーカードによる構成が不可能である。すなわち、ユーザーが写真を取るときに位置情報を直ちに該写真に付加することはできない。ユーザーが写真（例えば画像ファイル）に位置情報を付加したい場合には、コンピュータのような別の装置が必要とされる。言換えると、ユーザーはコンピュータを利用しなければならないだけでなく、ＧＰＳレコーダーから写真に受信される位置情報を付加するために余計な時間がかかる。これはユーザーにとって不便極まりない。
【０００４】
従って、本発明の範囲は前述の問題が解決されるよう無線転送により位置情報の画像ファイルへの付加可能なシステムが提供されることにある。
【発明の開示】
【０００５】
本発明の範囲は位置情報の画像ファイルへの付加可能なシステムの提供にある。このシステムにはＧＰＳレコーダーおよびメモリーカードが含まれ両方とも無線転送の機能を有する。本発明のメモリーカードによりＧＰＳレコーダーから転送される位置情報が自動的に受信されてから、次いでメモリーカードへの格納に対応する画像ファイルに自動的に該位置情報が付加される。
【０００６】
好ましいある実施例によると、本発明のシステムにはＧＰＳレコーダーおよびメモリーカードが含まれる。ＧＰＳレコーダーにはＧＰＳ受信器、第1無線双方向モジュール、メモリー、ならびにマイクロコントロールユニット（ＭＣＵ）が含まれる。メモリーカードには格納ユニット、第2無線双方向モジュールならびにカードコントローラが含まれる。
【０００７】
この実施例では、ＧＰＳレコーダーのＧＰＳ受信器は複数の位置情報の受信用に利用される。メモリーは位置情報の格納に利用される。第1無線双方向モジュールは位置情報の転送に利用される。ＭＣＵはＧＰＳ受信器、ＧＰＳ受信器、メモリーおよび第1無線双方向モジュールの制御用に利用される。
【０００８】
この実施例では、第2無線双方向モジュールが第1無線双方向モジュールから転送される1ヶ所の位置情報の受信に利用される。画像ファイルが作られる時、カードコントローラにより画像ファイルが格納ユニットに格納されると同時に第2無線双方向ユニットによって受信された位置情報が直ちに画像ファイルに付加される。
【０００９】
従って、本発明のメモリーカードおよびＧＰＳレコーダーによりユーザーが写真を撮る時に位置情報が無線転送によって直ちにかつ自動的に画像ファイルに付加される。ユーザーにとっての操作は簡単である。さらに、本発明のメモリーカードによりホストにより瞬時にＧＰＳ座標情報が表示され得るよう瞬時にＧＰＳ座標情報が得られるホストによって利用可能である一連の制御コマンドが提供される。
【００１０】
本発明の利点と精神は付録図面と一緒になった以降の引用説明によって理解され得よう。
【発明を実施するための最良の形態】
【００１１】
図１を参照されたい。図１により本発明のある好ましい実施例による位置情報ＰＩの画像ファイル２０への付加可能なシステム１の区分図が示される。本発明のシステム１にはＧＰＳレコーダー１２およびメモリーカード１４が含まれる。ＧＰＳレコーダー１２にはＧＰＳ受信器１２０、第1無線双方向モジュール１２４、メモリー１２２ならびにＭＣＵ１２６が含まれる。メモリーカード１４には格納ユニット１４２、第2無線双方向モジュール１４４ならびにカードコントローラ１４６が含まれる。
【００１２】
この実施例では、ＧＰＳ受信器１２０は複数の位置情報ＰＩの受信用に利用されると同時に、各位置情報ＰＩには座標情報、および／または地名が含まれる。メモリー１２２は位置情報ＰＩの格納用に利用されると同時にフラッシュメモリーのような不揮発性メモリーである。第1無線双方向モジュール１２４は位置情報ＰＩの転送用に利用される。ＭＣＵ１２６はＧＰＳ受信器１２０、メモリー１２２および第1無線双方向モジュール１２４の制御用に利用される。ＧＰＳ受信器１２０によって受信される位置情報ＰＩはＭＣＵ１２６によってメモリー１２２に格納可能であるとともに、第1無線双方向モジュール１２４によりＭＣＵ１２６によってメモリー１２２に格納される位置情報ＰＩが得られる。
【００１３】
この実施例では格納ユニット１４２はＮＡＮＤフラッシュメモリーである。第2無線双方向モジュール１４４は第1無線双方向モジュール１２４から転送される1つの位置情報ＰＩの受信用に利用される。画像ファイル２０が作られるとき、カードコントローラ１４６により格納ユニット１４２に画像ファイル２０が格納されると同時に第2無線素方向モジュール１４４によって受信された該位置情報ＰＩが画像ファイル２０に直ちに付加される。さらに、第1無線双方向モジュール１２４あるいは第2無線双方向モジュール１４４はＺｉｇＢｅｅモジュール、ＷｉＦｉモジュールおよびＢｌｕｅＴｏｏｔｈモジュールからなる群から選定される。
【００１４】
例えば、2007年1月1日12時半に、ユーザーがデジタルカメラを利用して1枚の画像ファイル（すなわち、1枚の写真）を作成する。その時に、ＧＰＳレコーダー１２の第1無線双方向モジュール１２４によって転送された位置情報ＰＩは「台北」である。メモリーカード１４の第2無線双方向モジュール１４４は直ちに位置情報「台北」をＧＰＳレコーダー１２から受信する。その後、カードコントローラ１４６は画像ファイル２０に位置情報「台北」を直ちに付加できる。
【００１５】
言換えると、ユーザーが画像ファイル２０に位置情報ＰＩの付加可能なシステム１を有する場合には、該位置情報ＰＩは直ちにかつ自動的に画像ファイル２０に付加される。さらに、ユーザーは画像ファイル２０にＧＰＳレコーダーの位置情報ＰＩを付加するコンピュータの使用が不要である。
【００１６】
図２を参照されたい。図２は本発明の別の好ましい実施例によるＧＰＳレコーダー１２‘の区分図を示す。ＧＰＳレコーダー１２’とＧＰＳレコーダー１２間の主な差はＧＰＳレコーダー１２‘にはさらにＧＰＳアンテナ１２１、ＵＳＢホストポート１２７ならびにバッテリー１２９が含まれる点である。ＧＰＳアンテナ１２１はＧＰＳ受信器１２０に結合される。バッテリー１２９はＧＰＳレコーダー１２’用電源の提供に利用される。ＵＳＢホストポート１２７はコンピュータのような電気用品（図示されず）の接続に利用される。図２に示されるＧＰＳレコーダー１２‘の機能は図１に示されるＧＰＳレコーダー１２と同一であるので、ここでは改めて説明はしない。
【００１７】
本発明のメモリーカードおよびＧＰＳレコーダーと先行技術を比較する。すなわち、ユーザーが写真を撮るときに、位置情報が無線転送によって画像ファイルに直ちにかつ自動的に付加可能である。従って、ユーザーにとっては操作が簡単になる。さらに、本発明のメモリーカードはホストによりＧＰＳ座標情報が瞬時に簡単に表示可能であるように瞬時にＧＰＳ座標情報が得られるホストにより利用可能な一連の制御コマンドを提供する。
【００１８】
上記の例および説明について本発明の特色と精神が十分説明されていると思われる。当業者は本発明の教示内容が保持されつつも本装置に関する数多くの変更や修正がなされ得ることを容易に見て取ろう。従って、上述の公開内容は請求項によってのみ限定されるものと解釈されなくてはならない。
【図面の簡単な説明】
【００１９】
【図１】本発明のある好ましい実施例による画像ファイルへの位置情報の付加可能な区分図
【図２】本発明のもう1つの好ましい実施例によるＧＰＳレコーダーの区分図
【図１】
2008301468.tif 000003
【図２】
2008301468.tif 000004